(57)【特許請求の範囲】
【請求項１】
電球口金と、透光性ガラス球（１０）と、このガラス球（１０）で取り囲まれた少なくとも１つの発光手段（１１）とを備え、電球口金が、ガラス球（１０）を固定する金属保持部品（１４ａ）と、金属保持部品（１４ａ）に結合された環状の金属支持スリーブ（１４ｂ）と、電球の電気接続端子（１６、１７）を備え金属支持スリーブ（１４ｂ）が係止されるプラスチック口金部品（１５）と、湾曲した板バネとして構成された押圧バネ（１００）とを有し、この湾曲した板バネが環状の支持スリーブ（１４ｂ）の内壁面に当接しかつ環状の支持スリーブ（１４ｂ）の切抜き開口を貫通している電球において、環状の支持スリーブ（１４ｂ）が内側へ折曲げられた２つの舌片（１４ｄ）を持ち、これらの舌片がそれぞれ板バネ（１００）の一端（１０４、１０５）と交差し、板バネ（１００）が締付け嵌めで内側へ折曲げ舌片（１４ｄ）の間に配置されていることを特徴とする電球。
【請求項２】
各板バネ端部（１０４、１０５）が少なくとも２つの歯状突起（１０４ａ、１０５ａ）を備え、支持スリーブ（１４ｂ）のそれぞれ内側へ折曲げられた舌片（１４ｄ）がそれらの歯状突起の間に挟まれていることを特徴とする請求項１記載の電球。
【請求項３】
折曲げ舌片（１４ｄ）がそれぞれ支持スリーブ（１４ｂ）と鋭角をなし、各板バネ端部（１０４、１０５）が対応する折曲げ舌片（１４ｄ）と支持スリーブの壁面との間の鋭角の領域に配置されていることを特徴とする請求項１記載の電球。
【請求項４】
板バネ（１００）が、支持スリーブ（１４ｂ）の切抜き開口を貫通するＶ字形の部分（１０１）と、このＶ字形の部分（１０１）を挟む２つのＵ字形の部分（１０２、１０３）とを有し、Ｕ字形の部分（１０２、１０３）がそれぞれＶ字形の部分（１０１）の一方の脚部を板バネ（１００）の一端（１０４、１０５）に繋いでいることを特徴とする請求項１記載の電球。
【請求項５】
板バネ（１００）においてＶ字形の部分（１０１）とＵ字形の部分（１０２、１０３）との間の移行部位が支持スリーブ（１４ｂ）の内壁面に当っていることを特徴とする請求項４記載の電球。
【請求項６】
板バネ（１００）においてＵ字形の部分（１０２、１０３）とそれぞれの板バネ端部（１０４、１０５）との間の移行部位が支持スリーブ（１４ｂ）の内壁面に当っていることを特徴とする請求項４記載の電球。
【請求項７】
２つのＶ脚部（１０１）の繋ぎ部位（１０１ａ）に丸みがつけられていることを特徴とする請求項４記載の電球。
【発明の詳細な説明】
【０００１】
【発明の属する技術分野】
本発明は請求項１の前文による電球に関する。
【０００２】
【従来の技術】
このような電球は例えば国際公開第９８／２７５６７号明細書に開示されている。この特許出願は、電球、特に、ガラス球と、ガラス球の中に設けられたフィラメントと、金属部品及びプラスチック部品から成る電球口金とを有する自動車前照灯について記載している。この電球口金は、ガラス球用の金属保持部品と、金属保持部品に結合された環状の金属支持スリーブと、電球の電気接続端子を備え金属支持スリーブが係止されるプラスチック口金部品とを有する。前照灯の反射器に電球を固定するために、電球口金は湾曲した板バネとして構成された押圧バネを装備している。この板バネの端部は環状の支持スリーブの内壁面に当たり、一方この板バネのＶ字形の部分はこの支持スリーブの切抜き開口を貫通している。この板バネはプラスチック口金部品に固定される。
【０００３】
【発明が解決しようとする課題】
本発明の課題は、改良された押圧バネと、この押圧バネ用の改良された固定機構とを有する電球を提供することにある。
【０００４】
【課題を解決するための手段】
この課題は本発明により請求項１の特徴部分により解決される。本発明の特に有利な実施態様は従属請求項に記載されている。本発明による電球は、電球口金と、透光性ガラス球と、この透光性ガラス球で取り囲まれた少なくとも１つの発光手段とを有する。電球口金は、ガラス球用の金属保持部品と、金属保持部品に結合された環状の金属支持スリーブと、電球の電気接続端子を備え金属支持スリーブが係止されるプラスチック口金部品とを有する。本発明による電球を前照灯の反射器に取付けるために、電球口金は板バネとして構成された押圧バネを有している。この押圧バネは締付け嵌めで前照灯の反射器開口（電球ソケットとして構成されている）に電球を確実に固定できるようにしている。この押圧バネは環状の支持スリーブの内壁面に当接しかつ支持スリーブの切抜き開口を貫通している。本発明により、この支持スリーブは内側へ折曲げられた２つの舌片を持ち、これらの舌片はそれぞれ板バネの一端と交差し、締付け嵌めで板バネを２つの舌片間に挟んでいる。これによって、押圧バネが直接に当該支持スリーブ上へ、信頼できる簡単なやり方で、すなわち付加的な固定手段を用いずに、固定される。折曲げ舌片は支持スリーブの材料から作られている。板バネとして構成された押圧バネは締付け嵌めで２つの折曲げ舌片の間に挟まれ、これらの折曲げ舌片は板バネの端部に対するストッパとして役立っている。
【０００５】
各板バネ端部が少なくとも２つの歯状突起を備え、支持スリーブのそれぞれ内側へ折曲げられた舌片がそれらの歯状突起の間に挟まれていると有利である。この歯状突起により、それぞれの板バネ端部は支持スリーブの対応する舌片と交差することができる。この折曲げ舌片が支持スリーブと鋭角をなし、各板バネ端部が対応する折曲げ舌片と支持スリーブの壁面との間の鋭角の領域に配置されていると有利である。これによって、これらの折曲げ舌片はさらに板バネ端部の案内の働きもして、板バネの端部が板バネの機械的応力のために折曲げ舌片と支持スリーブの壁面との間に締め付け固定される。
【０００６】
本発明による電球の板バネとして構成された押圧バネが、支持スリーブの切抜き開口を貫通するＶ字形の部分と、このＶ字形の部分を挟む２つのＵ字形の部分とを有し、Ｕ字形の部分がそれぞれＶ字形の部分の一方のＶ脚部を板バネの一端に繋いでいると有利である。Ｕ字形の部分によって、板バネに機械的応力を発生させ、支持スリーブの２つの折曲げ舌片の間に板バネの締付け嵌めを発生させると有利である。支持スリーブの切抜き開口を貫通するＶ字形の部分は、前照灯の反射器開口（電球ソケットとして構成されている）に電球を取付けた後、弾力的に当る。押圧バネとソケットとの間の接触面を大きくし、ソケットに電球を取付け易くするために、Ｖ字形の部分の２つの脚部の繋ぎ部位が丸みをつけられていると有利である。この板バネは、Ｖ字形の部分とＵ字形の部分との間の移行部位が、またＵ字形の部分とそれぞれの板バネ端部との間の移行部位が、支持スリーブの内壁面に当っていると有利である。これにより、押圧バネの固定の安定性が向上する。
【０００７】
【発明の実施の形態】
本発明は好適な実施例に基づいて以下においてさらに詳しく説明される。
【０００８】
本発明の好適な実施例は自動車前照灯に使用するために設けられる単フィラメント形ハロゲン電球である。この電球はピンチ１０ａが気密に封止されているほぼ筒形のガラス球１０を有している。ガラス球１０のドーム１０ｂには光吸収被膜が設けられている。光源として、ガラス球の軸線に平行に延びるフィラメント１１が使われている。このフィラメント１１はピンチ１０ａから外に導かれる２本のリード１２、１３（モリブデン線から成る）に電気的に接続されている。ガラス球１０のピンチ１０ａは鉢状の保持部品１４ａと、中間リング１４ｅと、環状の支持スリーブ１４ｂとから成っている金属ホルダに固定されている。電球口金は金属ホルダ１４ａ、１４ｂの他に、電球の電気接続端子１６、１７を備えたプラスチック口金部品１５も有し、このプラスチック口金部品１５の中に環状の金属支持スリーブ１４ｂが係止されている。支持スリーブ１４ｂは同一平面内に位置する３つの基準突起１４ｃと、自動車前照灯の反射器２０に電球を取付けるための押圧バネ１００とを備えている。反射器２０の密封は、反射器２０の外壁面２０ｂとプラスチック口金部品１５とに接するシリコーンシールリング１９によって行われている。図１には好適な実施例による電球の構造と前照灯でのその電球の使用が概略的に示されている。
【０００９】
図２には自動車前照灯の反射器２０への電球の配置が詳細に示されている。３個の基準突起１４ｃは電球ソケットとして形成された反射器２０の電球取付け開口２１に係合し、反射器２０の内側面２０ａに当接している。基準突起１４ｃは環状の支持スリーブ１４ｂの円周に等間隔で配置されている。支持スリーブ１４ｂの押圧バネ１００は第１の基準突起１４ｃの下に配置され、電球取付け開口２１の縁部２２に弾力的に当接している。支持スリーブ１４ｂに押圧バネ１００を固定するために、環状の支持スリーブ１４ｂに一体に形成され内側に折曲げられた２つの舌片１４ｄが使われ、これらの舌片１４ｄの間に板バネとして構成された押圧バネ１００が締付け嵌めで配置されている（図３参照）。舌片１４ｄは支持スリーブの壁面と鋭角をなしている。板バネ１００はばね鋼から成っている。その形状は図４と図５に示されている。
【００１０】
板バネ１００は２つのＵ字形の部分１０２、１０３の間に形成されているＶ字形の部分１０１を有する。Ｕ字形の部分１０２、１０３はそれぞれＶ字形の部分１０１の脚部を板バネ端部１０４、１０５に繋いでいる。各板バネ端部１０４、１０５は２つの歯状突起１０４ａ、１０５ａを備えており、支持スリーブ１４ｂから折曲げられた対応する舌片１４ｄがそれぞれそれらの歯状突起の間に挟まれている（図３参照）。歯状突起１０４ａ、１０５ａは板バネ端部１０４、１０５と１０５°の角度をなしている。Ｖ字形の部分１０１は支持スリーブ１４ｂの切抜き開口を貫通し、また電球の取付け後、Ｖ字形の部分１０１の２つの脚部の間に形成されて丸みをつけた繋ぎ部位１０１ａが電球ソケットして構成された反射器開口２１の縁部２２に弾力的に当る。板バネ１００は、Ｕ字形の部分１０２、１０３とそれぞれの板バネ端部１０４、１０５との移行部位だけでなく、Ｖ字形の部分１０１とＵ字形の部分１０２、１０３との間の移行部位も、支持スリーブ１４ｂの内壁面に当っている。
【００１１】
支持スリーブ１４ｂの外面には他の２つの基準突起１４ｃの下にそれぞれ凹み１４ｆが付けられている。反射器２０の電球取付け開口２１の縁部２２は上記の他の２つの基準突起１４ｃの範囲内にそれぞれ平坦な支持面２２ａを有している。電球口金の支持スリーブ１４ｂの外面は締付け嵌めでこれら２つの平坦な支持面２２ａに接している。この締付け作用は押圧バネ１００によって発生している。凹み１４ｆにより、電球取付け開口２１の縁部２２の場合によってはバリを有する外縁２２ａ２が電球口金と接触しないように、特に支持スリーブ１４ｂと接触しないようにすることができる。
【図面の簡単な説明】
【図１】破線で示された反射器とともに、一部を断面で示した本発明の好適な実施例の概略側面図。
【図２】図１による電球の支持スリーブと前照灯の反射器との連接部分の平面図。
【図３】図１の電球の支持スリーブとプラスチック口金部品との断面図。
【図４】図１に示されている電球の押圧バネの側面図。
【図５】図４に示されている押圧バネの平面図。
【符号の説明】
１４ｂ  支持スリーブ
１４ｄ  舌片
１５  プラスチック口金部品
１００  押圧バネ
【図１】
0004320096.tif 000002
【図２】
0004320096.tif 000003
【図３】
0004320096.tif 000004
【図４】
0004320096.tif 000005
【図５】
0004320096.tif 000006